(57)【特許請求の範囲】
【請求項１】
自動車の各車輪に対応して設けられた、対応する車輪が載置されるローラと、
前記各ローラと当該ローラに対応する車輪との間に作用する力と前記ローラの回転速度とを計測するダイナモメータと、
前記ダイナモメータを制御するダイナモメータ制御手段と、
車輪対地速度算出手段とを有し、
当該車輪対地速度算出手段は、前記各ダイナモメータが測定した前記力と前記各ダイナモメータが測定した各ローラの回転速度とより推測される走行状態で前記車両が実路を走行した場合の前記自動車のサスペンションの運動による前記自動車の各車輪の前記自動車の車体に対する移動速度と、前記走行状態で前記車両が実路を走行した場合の前記自動車の車体の移動速度とより求まる、前記走行状態で前記車両が実路を走行した場合の前記自動車の各車輪の対地速度を算出し、
前記ダイナモメータ制御手段は、各ローラについて、当該ローラの前記車輪の載置面の接線方向速度が、当該ローラに対応する車輪について前記車輪対地速度算出手段が算出した対地速度と同じ速度となるように、当該ローラの回転速度を制御することを特徴とするシャシーダイナモメータ。
【請求項２】
請求項１記載のシャシーダイナモメータであって、
前記各ダイナモメータが測定した前記力と、前記各ダイナモメータが測定した各ローラの回転速度とより推測される走行状態で前記車両が実路を走行した場合の前記車両の車体の姿勢を推定し、推定した姿勢と一致した姿勢となるように、前記車両の車体の姿勢を制御する姿勢制御手段を有することを特徴とするシャシーダイナモメータ。
【請求項３】
請求項１または２記載のシャシーダイナモメータであって、
前記対地速度算出手段は、
車両の車輪の駆動力を入力とする車両の運動モデルを用いて、車両の運動をシミュレーションし、前記自動車の各車輪の前記自動車の車体に対する移動速度と、前記自動車の車体の移動速度とを算出するシミュレーション手段と、
前記各ダイナモメータが測定した前記力と、前記各ダイナモメータが測定した各ローラの回転速度とに基づいて、前記車両の車輪の駆動力を算出し、前記運動モデルの入力として前記シミュレーション手段に供給する駆動力算出手段とを有することを特徴とするシャシーダイナモメータ。
【発明の詳細な説明】
【技術分野】
【０００１】
本発明は、シャシーダイナモメータにおいて車両の運動を模擬する技術に関するものである。
【背景技術】
【０００２】
自動車の各種試験に用いられるシャシーダイナモメータとしては、車両の走行状態を再現するために車両に対して走行中の路面を模擬するローラと、前記ローラのトルクを制御するモータと、ローラと車輪間に作用する力を計測する測定装置とを備えたシャシーダイナモメータが知られている。
【０００３】
また、このようなシャシーダイナモメータでは、自動車の車輪が正しくローラ上に位置し続けるように車体を拘束しつつ、その測定を行う必要があり、このような車両の拘束の技術としては、ワイヤロープで車両の前部と後部とを、それぞれ索引して固定する技術が知られている（たとえば、特許文献１）。
【０００４】
また、所定の車両モデルを用いて、自動車の各種運動をシミュレーションすることにより、自動車の各種状態を算出する技術も知られている（たとえば、非特許文献１）。
【特許文献１】特開平１０-３０７０８２号公報
【非特許文献１】大川進、本田昭監修、「自動車のモーションコントロール技術入門」、山海堂2006年
【発明の開示】
【発明が解決しようとする課題】
【０００５】
シャシーダイナモメータでは、自動車の各種状態をできるだけ実路走行時と同じ状態に模擬しつつ試験を行うことが、試験精度の向上等の上で好ましい。
しかしながら、車輪位置をローラ上に維持するために、ワイヤロープで車両の前部と後部とを、それぞれ索引して固定する技術によれば、車両のサスペンションの運動をも抑制してしまい、サスペンションの運動に伴って変化する車輪の状態を実路走行時と同じ状態として試験を行うことができなくなってしまう。
【０００６】
また、平坦な実路面と、曲面となるローラの車輪の載置面とに対する、車輪の接地面積や摩擦係数の相違などにより、車輪の状態を、必ずしも実路走行時と同じ状態として試験を行うことができないという問題もある。
そこで、本発明は、サスペンションの運動に伴って変化する車輪の状態を含む車輪の状態について、実路走行を模擬しつつ試験を行うことのできるシャシーダイナモメータを提供することを課題とする。
【課題を解決するための手段】
【０００７】
前記課題達成のために、本発明は、自動車の各車輪に対応して設けられた、対応する車輪が載置されるローラと、前記各ローラと当該ローラに対応する車輪との間に作用する力と前記ローラの回転速度とを計測するダイナモメータと、前記ダイナモメータを制御するダイナモメータ制御手段と、車輪対地速度算出手段とを備えたシャシーダイナモメータを提供する。但し、当該車輪対地速度算出手段は、前記各ダイナモメータが測定した前記力と前記各ダイナモメータが測定した各ローラの回転速度とより推測される走行状態で前記車両が実路を走行した場合の前記自動車のサスペンションの運動による前記自動車の各車輪の前記自動車の車体に対する移動速度と、前記走行状態で前記車両が実路を走行した場合の前記自動車の車体の移動速度とより求まる、前記走行状態で前記車両が実路を走行した場合の前記自動車の各車輪の対地速度を算出するものであり、前記ダイナモメータ制御手段は、各ローラについて、当該ローラの前記車輪の載置面の接線方向速度が、当該ローラに対応する車輪について前記車輪対地速度算出手段が算出した対地速度と同じ速度となるように、当該ローラの回転速度を制御するものである。
【０００８】
このようなシャシーダイナモメータによれば、車輪の回転速度などの車輪の状態について、実路走行時においてサスペンションの運動に伴って変化する車輪の移動状態も含め、これを模擬しつつ試験を行うことができる。
ここで、このようなシャシーダイナモメータは、前記各ダイナモメータが測定した前記力と、前記各ダイナモメータが測定した各ローラの回転速度とより推測される走行状態で前記車両が実路を走行した場合の前記車両の車体の姿勢を推定し、推定した姿勢と一致した姿勢となるように、前記車両の車体の姿勢を制御する姿勢制御手段をさらに設けるようにしてもよい。
【０００９】
このようにすることにより、車両の車体の姿勢についても実路走行を模擬しつつ試験を行うことができるようになる。
また、このようなシャシーダイナモメータは、前記対地速度算出手段を、車両の車輪の駆動力を入力とする車両の運動モデルを用いて、車両の運動をシミュレーションし、前記自動車の各車輪の前記自動車の車体に対する移動速度と、前記自動車の車体の移動速度とを算出するシミュレーション手段と、前記各ダイナモメータが測定した前記力と、前記各ダイナモメータが測定した各ローラの回転速度とに基づいて、前記車両の車輪の駆動力を算出し、前記運動モデルの入力として前記シミュレーション手段に供給する駆動力算出手段とを含めて構成するようにしてもよい。
【発明の効果】
【００１０】
以上のように、本発明に係るシャシーダイナモメータによれば、サスペンションの運動に伴って変化する車輪の状態を含む車輪の状態について、実路走行を模擬しつつ試験を行うことができる。
【発明を実施するための最良の形態】
【００１１】
以下、本発明の実施形態について説明する。
図１に、本実施形態に係るシャシーダイナモメータの構成を模式的に示す。
以下、本発明の一実施形態について説明する。
図１ａ、ｂに、本実施形態に係るシャシーダイナモメータの構成を模式的に示す。ここで。図１ａはシャシーダイナモメータを上方より見たようすを、図１ｂはシャシーダイナモメータを左右方向から見たようすを模式的に表したものである。
図示するように、このシャシーダイナモメータは、４輪駆動の自動車用のシャシーダイナモメータであり、試験車両１の車輪毎に一つずつ設けられたダイナモメータ２を備え、各ダイナモメータ２は、試験車両１の走行面となるピット３の上面に設けた開口に、ローラ２１の天頂部が露出するようにピット３内に配置される。
【００１２】
そして、このようなシャシーダイナモメータを用いた試験車両１の試験は、試験車両１の各車輪を各ダイナモメータ２のローラ２１の天頂部に載置した状態で、４台の拘束装置４を用いて試験車両１の前端左右と後端左右の四ポイントの位置を拘束しつつ、ローラ２１を回転しながら、試験車両１の車輪とローラ周面間で作用するトルクを、各ダイナモメータ２を用いて計測することにより行われる。
【００１３】
また、シャシーダイナモメータには、４台の拘束装置４を用いて、試験車両１の車体の姿勢を制御する姿勢制御装置５と、ダイナモメータ２を制御するダイナモメータ制御部６も設けられている。
次に、図２に、各ダイナモメータ２の構成を示す。
ここで、図２ａはダイナモメータ２を上面から見たようすを、図２ｂはダイナモメータ２を前面からみたようすを、図２ｃは図２ａの断面線ＡＡの断面によってダイナモメータ２の内部構造を模式的に表した図である。
図示するように、本実施形態に係るダイナメータは、軸受柱２２によってベアリング２２１を介してシャフトが回動可能に支持されたローラ２１と、軸受柱２３によってベアリング２３１を介してシャフトが回動可能に支持されたステータ２４とを有し、ステータ２４はローラ２１の内部に同軸入れ子状に配置されている。
【００１４】
そして、ステータ２４の外周側にはモータコイル２４１が巻き回されており、ローラ２１の内壁側には永久磁石２１１が設置されており、このような構造によってステータとローラ２１は、ローラ２１をアウタロータとするモータとして機能し、モータコイルを駆動することにより、ローラ２１に回転方向のトルクを作用させることができる。
【００１５】
一方、ステータ２４のシャフトは、固定柱２５に軸トルク計２６を介して連結されており、ローラ２１に試験車両１の車輪によって加えられた力に応じた軸トルクが軸トルク計２６で検出され外部に出力される。また、ローラ２１に対してロータリエンコーダ２７が設けられておりローラ２１の回転速度が、ロータリエンコーダ２７で検出され外部に出力される。
【００１６】
なお、軸トルク計２６は、たとえば歪みゲージであり、固定柱２５とステータのシャフトとの間に働く軸トルクを、たとえば、シャフトのねじれ方向の歪み量より検出する。
次に、図３ａ１に、拘束装置４の構成を示す。
図示するように、拘束装置４は、ピット３の上面に固定されるベース４１、ベース４１に内蔵された駆動機構により図３ａ２に示すように上下に移動可能にベース４１に支持されたＺステージ４２、Ｚステージ４２に内蔵された駆動機構により図３ａ３に示すように前後方向（試験車両１の前後方向）に伸縮可能にＺステージ４２に支持されたＸアーム４３、Ｘアーム４３の先端に設けられた試験車両１の四隅に設けたステーやフックなどの取り付け部と連結するジョイント４４とを備えている。ここで、上述した駆動機構としては油圧シリンダやエアシリンダやボールネジ機構などを用いることができる。また、ジョイント４４としては、ボールジョイントやユニバーサルジョイントなどの任意方向の軸回りの回転の自由度をもってＸアーム４３と取り付け部を連結するジョイント４４を用いるようにする。
【００１７】
さて、ここで、このような拘束装置４台を設け、その各々のジョイント４４を試験車両１の四隅の取り付け部に各々連結し、姿勢制御装置５によって、各拘束装置４のＺステージの高さやＸアーム４３の前後方向の伸縮量を制御することにより、図３ｂに示すように試験車両１のバウンジングを任意に制御したり、図３ｃに示すように試験車両１のピッチングを任意に制御したり、図３ｄに示すように試験車両１のローリングを任意に制御することができるようになる。
【００１８】
次に、このような拘束装置４を用いて、試験車両１の車体の姿勢制御を行う姿勢制御装置５の構成について説明する。
図４に、姿勢制御装置５の構成を示す。
図示するように、姿勢制御装置５は、車両モデル入力値算出部５１、シミュレータ５２、拘束装置制御部５３とを有している。
さて、ここで、試験の実施者は、次のように試験車両１の試験を開始する。すなわち、まず、試験車両１の各車輪が各ダイナモメータ２のローラ２１の天頂部上に位置するように試験車両１を配置する。そして、そのままの状態で試験車両１の車体の位置、姿勢が拘束されるように、４台の拘束装置４を試験車両１に連結する。そして、試験車両１の試験を開始する。
【００１９】
そして、このようにして開始される試験の実施中、シミュレータ５２は、予め定めた車両モデルの入力値に対する応答を求めることにより、試験車両１の運動をシミュレーションし、当該シミュレーションによって各時点において得られる試験車両１の車体の移動速度とバウンジング量とピッチング量とローリング量、および、サスペンションの運動によりサスペンションのジオメトリに従って生じる各車輪の車体に対する前後方向への移動速度である車輪線速度とを算出する。そして、バウンジング量、ピッチング量、ローリング量を拘束装置制御部５３に、試験車両１の車体の移動速度と各車輪の車輪線速度をダイナモメータ制御部６に出力する。
【００２０】
次に、車両モデル入力値算出部５１は、各ダイナモメータ２の軸トルク計２６が検出したトルクと、各ダイナモメータ２のロータリエンコーダ２７が検出したローラ２１の回転速度とより、前述したシミュレータ５２における車両モデルへの入力値を算出する。
そして、拘束装置制御部５３はバウンジング量、ピッチング量、ローリング量が、試験車両１のシミュレータ５２によって算出されたバウンジング量、ピッチング量、ローリング量となるように４台の拘束装置４を制御することにより試験車両１の車体の姿勢を制御する。
【００２１】
また、ダイナモメータ制御部６は、各車輪について、各車輪の対地移動速度を、試験車両１の車体の前後方向の移動速度に当該車輪の車輪線速度を加えた速度として求める。また、各車輪について、当該車輪の対地移動速度より、当該対地移動速度と車輪載置面の周面の接線方向の移動速度が等しくなるローラ２１の回転速度を求め、当該車輪に対応するダイナモメータ２のロータリエンコーダ２７が検出しているローラ２１の回転速度を参照しつつ、当該ダイナモメータ２のローラ２１の回転速度が、当該ローラ２１に対応する車輪について求めたローラ２１の回転速度と等しくなるように、各ダイナモメータ２を制御する。
【００２２】
なお、ダイナモメータ制御部６は、各ダイナモメータ２の発生トルクを、各ダイナモメータ２のロータリエンコーダ２７が検出したローラ２１の回転速度より求まる試験車両１の車速に応じて算定される所定の目標値に制御する処理なども併せて行う。
ここで、シミュレータ５２がシミュレーションに用いる車両モデルや、車両モデルに応じて定まる車両モデル入力値算出部５１が算出する車両モデルへの入力値の算出法としては様々な手法が取り得るが、以下のその構成例の一つを、試験車両１を直進させる試験への適用を例にとり示す。
まず試験車両１を直進させる場合、車両のローリングは発生量が小さいものとして無視することができ、この場合には、試験車両１は、一つの前輪と一つの後輪よりなる二輪の車両モデルとして、簡易的には、上述した非特許文献１のPP.88-89に記載のようにモデル化することができる。そして、この場合、車両モデルは、図示するように、前輪及び後輪の回転運動をモデル化した回転運動モデル５２１と、車両の重心の運動をモデル化した重心運動モデル５２２と、前輪及び後輪のサスペンションの運動をモデル化したサスペンション運動モデル５２３とより構成することができる。
【００２３】
そして、この場合、車両モデル入力値算出部５１では、まず、Ffinを、試験車両１の前二輪に対して設けられた二つのダイナモメータ２の軸トルク計２６が検出したトルクTdymより求まる試験車両１の前二輪とローラ２１との間で作用する力、Frinを試験車両１の後二輪に対して設けられた二つのダイナモメータ２の軸トルク計２６が検出したトルクTdymより求まる試験車両１の後二輪とローラ２１との間で作用する力、dwfin/dtを、試験車両１の前二輪に対して設けられた二つのダイナモメータ２のロータリエンコーダ２７が検出したローラ２１の回転速度wdymから求まる前二輪の回転角加速度、dwrin/dtを試験車両１の後二輪に対して設けられた二つのダイナモメータ２のロータリエンコーダ２７が検出したローラ２１の回転速度wdymから求まる後二輪の回転角加速度とする。
【００２４】
そして、車両モデルの前輪の駆動トルクTfと路面間との作用力Ffinの和が前輪を回転させる力として加えられて、前輪の回転角加速度dwfin/dtを生じるものとして前輪の駆動トルクTfを求め、車両モデルの後輪の駆動トルクTrと路面間との作用力Frinの和が後輪を回転させる力として加えられて、後輪の回転角加速度dwrin/dtを生じるものとして後輪の駆動トルクTrを求める。
【００２５】
そして、シミュレータ５２は、回転運動モデル５２１において、車両モデルの前輪の駆動トルクTfと路面間との作用力Ffの和が前輪を回転させる力として加えられて、前輪の回転角加速度が生じて、車体の前後方向（ｘ方向）の加速度dv/dtが発生するものとして、車両モデルの入力値として算出された前輪の駆動トルクTfと、後述するように重心運動モデル５２２において算出される重心のｘ軸方向の加速度dv/dtより、前輪の路面間との作用力Ffを求める。また、同様に、回転運動モデル５２１において、車両モデルの入力値として算出された車両モデルの後輪の駆動トルクTrと重心運動モデル５２２において算出される重心のｘ軸方向の加速度dv/dtより、後輪と路面間との作用力Frを求める。
【００２６】
但し、回転運動モデル５２１を省略し、車両モデル入力値算出部５１で求めたFfin、Frinを、直接、回転運動モデル５２１で算出するFf、Frに代えて用いるようにしてもよい。
また、シミュレータ５２は、重心運動モデル５２２において、前輪の路面間との作用力Ffと後輪と路面間との作用力Frの和が車体重心をｘ方向に進める力として加えられて、ｘ方向の加速度dv/dtが生じるものとして、車体重心のｘ方向の加速度dv/dtと車体重心のｘ方向の移動速度ｖを算出する。
【００２７】
また、シミュレータ５２は、重心運動モデル５２２において、重力と、後述するようにサスペンション運動モデル５２３で算出される前輪サスペンションから車体に加わる力Fsfと、後輪サスペンションから車体に加わる力Fsrとの和が、車体重心を上下方向（ｚ方向）に進める力として加えられて、z方向の加速度が生じるものとして、車体重心のｚ方向の速度dz/dtとｚ方向位置z（高さ）を算出する。
【００２８】
また、シミュレータ５２は、重心運動モデル５２２において、前輪サスペンションから車体に加わる力Fsfと、後輪サスペンションから車体に加わる力Fsrと、前輪の路面間との作用力Ffと、後輪と路面間との作用力Frとがｘ方向軸回りのモーメント力として加えられて、ｘ方向軸回りθ方向の角加速度が生じるものとして、車体重心のθ回りの回転すなわちピッチングの回転速度dθ/ｄｔと回転角θを算出する。
【００２９】
そして、サスペンション運動モデル５２３において、重心運動モデル５２２で算出される重心のｚ方向位置ｚと回転角θとより求まる前輪サスペンションコイルの変位に応じたバネ力が前輪のサスペンションコイルにおいて生じ、重心運動モデル５２２で算出される重心のｚ方向の移動速度dz/dtと回転速度dθ/ｄｔと回転角θと前輪サスペンションのジオメトリより求まる前輪サスペンションコイルの変位速度に応じた減衰力が、前輪のサスペンションのショックアブソーバにおいて生じ、両者の差分が前輪サスペンションから車体に加わる力Fsfとなるものとして、前輪サスペンションから車体に加わる力Fsfを求める。また、同様に、重心運動モデル５２２で算出される重心のｚ方向位置ｚと回転角θと後輪サスペンションのジオメトリより求まる後輪サスペンションコイルの変位に応じたバネ力が後輪のサスペンションコイルにおいて生じ、重心運動モデル５２２で算出される重心のｚ方向の移動速度dz/dtと回転速度dθ/ｄｔと回転角θとより求まる後輪サスペンションコイルの変位速度に応じた減衰力が、後輪のサスペンションのショックアブソーバにおいて生じ、両者の差分が後輪サスペンションから車体に加わる力Fsｒとなるものとして、後輪サスペンションから車体に加わる力Fsｒを求める。
【００３０】
また、サスペンション運動モデル５２３において、前輪サスペンションコイルの変位と、前輪サスペンションのジオメトリから、前輪サスペンションの動きによって生じる、前輪の前後方向への移動速度である車輪線速度dxwf/dtを算出し、後輪サスペンションコイルの変位と、後輪サスペンションのジオメトリから、後輪サスペンションの動きによって生じる、後輪の前後方向への移動速度である車輪線速度dxwr/dtを算出する。
【００３１】
そして、拘束装置制御部５３では、重心運動モデル５２２で算出される重心のｚ軸方向位置ｚとピッチングの回転角θに、試験車両１の車体の重心のｚ軸方向位置とピッチングの回転角とが一致するように、４台の拘束装置４を制御することにより試験車両１の車体の姿勢を制御する。
【００３２】
また、ダイナモメータ制御部６は、重心運動モデル５２２で算出される車体の前後方向の移動速度vと、サスペンション運動モデル５２３で算出される前輪の車輪線速度dxwf/dtとを加算して、前輪の対地移動速度を求める。また、重心運動モデル５２２で算出される車体の前後方向の移動速度vと、サスペンション運動モデル５２３で算出される後輪の車輪線速度dxwr/dとを加算して、後輪の対地移動速度を求める。
【００３３】
そして、ダイナモメータ制御部６は、各車輪について、当該車輪の対地移動速度より、当該対地移動速度と車輪載置面の周面の接線方向の移動速度が等しくなるローラ２１の回転速度Trgrvを求め、当該車輪に対応するダイナモメータ２のロータリエンコーダ２７が検出しているローラ２１の回転速度dwdyｍが、当該ローラ２１に対応する車輪について求めたローラ２１の回転速度Trgrvと等しくなるように、各ダイナモメータ２を、制御信号CNTにより駆動制御する。
【００３４】
以上、本発明の実施形態について説明した。
このように本実施形態によれば、車輪の回転速度などの車輪の状態について、実路走行時におけるサスペンションの運動に伴って変化する車輪の移動の影響を含め、これを模擬しつつ試験車両１の試験を行うことができる。
また、車両の車体の姿勢についても実路走行時の状態を模擬しつつ試験を行うことができる。
【図面の簡単な説明】
【００３５】
【図１】本発明の実施形態に係るシャシーダイナモメータの構成を示す図である。
【図２】本発明の実施形態に係るダイナモメータの構成を示す図である。
【図３】本発明の実施形態に係る拘束装置の構成を示す図である。
【図４】本発明の実施形態に係る制御系統の構成を示す図である。
【符号の説明】
【００３６】
１…試験車両、２…ダイナモメータ、３…ピット、４…拘束装置、５…姿勢制御装置、６…ダイナモメータ制御部、２１…ローラ、２６…軸トルク計、２７…ロータリエンコーダ、４１…ベース、４２…Ｚステージ、４３…Ｘアーム、４４…ジョイント、５１…車両モデル入力値算出部、５２…シミュレータ、５３…拘束装置制御部、５２１…回転運動モデル、５２２…重心運動モデル、５２３…サスペンション運動モデル。
【図１】
0005074289.tif 000002
【図２】
0005074289.tif 000003
【図３】
0005074289.tif 000004
【図４】
0005074289.tif 000005